Podtech/llm-jp-corpus-v4-ja_patent huggingface dataset:
(57)【要約】      （修正有）【課題】津波にのみこまれたり、さらわれてもすぐに浮くこと、浮き続けることができる津波救命ベストを提供する。【解決手段】防水加工されたポケットもついていて、生地の中の全面に発泡スチロールと空気が入った保温効果のある津波救命ベスト。【選択図】図１
2020090266.tif 000002
【特許請求の範囲】
【請求項１】
津波にさらわれたり、のみこまれてもすぐに浮き続ける命の救命ベスト。瞬発力がある。
必ず浮いて助かる。
【請求項２】
津波に浮き続ける為にはベストの着地も重要。防水加工。
津波の実験テストをして、じょうぶで軽くて、エアー空気も利用したベスト。ハッポウスチロールは浮く。
ハッポウスチロールチップをエアーとともにたくさん入れる。
必ず浮く。海水にさらされた身体を温める保温効果もある。
又は全面をハッポウスチロールにしさらにエアーとともに確実に浮く。
【請求項３】
ベストは防水加工もほどこされ両方に防水ポケットがあり、その中には大事な物（写真・通帳・印かん・現金・ＧＰＳ携帯電話など）も入れることができる。体力を保つ為チョコレートやあめ玉などの食料品も入れることができる。
後、身元証明ができる名前や住所も書くことができる。
【発明の詳細な説明】
【技術分野】本発明は津波にさらわれたり、のみこまれてもすぐに浮き続けて命が助かる救命ベストに関するものである。
【背景技術】命を守る必ず助かるベストである。
数多くの津波実験をして確実に助かる救命ベストでなければならない。（人間の命がかかっている。）
日本国は地震国  津波被害でたくさんの命がうばわれています。
一人一人の命を守る  必ず助かる為に国をあげてもこのベストにけんめいにとり組みたい。
日本国民全員に広めていきたい。
学校・医療関係（病院）・施設・ねたきりで動けない人達の配布や個人での日頃からの準備やさまざまな人達に着用してもらいたい。
このベストが一般常識になれるようにしたい。
のちに世界にも広めていきたい。
【図１】
2020090266.tif 000003
【手続補正書】
【提出日】令和1年5月26日(2019.5.26)
【手続補正２】
【補正対象書類名】明細書
【補正対象項目名】全文
【補正方法】変更
【補正の内容】
【発明の詳細な説明】
【技術分野】本発明は津波にさらわれたり、のみこまれてもすぐに浮き続けて命が助かる救命ベストに関するものである。
【背景技術】命を守る必ず助かるベストである。
数多くの津波実験をして確実に助かる救命ベストでなければならない。（人間の命がかかっている。）
日本国は地震国、津波被害でたくさんの命がうばわれています。
一人一人の命を守る必ず助かる為に国をあげてもこのベストにけんめいに取り組みたい。
日本国民全員に広めていきたい。
学校・医療関係（病院）・施設・寝たきりで動けない人達の配布や個人で日頃からの準備やさまざまな人達に着用してもらいたい。
このベストが一般常識になれるようにしたい。
後に世界にも広めていきたい。
【図面の簡単な説明】
【図１】全面ハッポウスチロールでエアーが入っている津波救命ベストの前から見た図である。
(57)【要約】【課題】海や湖等の水域にドローンやカメラ等の高額機器類が水没してしまった場合、水没した場所が分からなくなるとともに回収することが困難であった。そのため、水没したドローンやカメラ等の機器類の位置を水面上に標示し、発見と回収を容易にすること。【解決手段】装置本体をドローンやカメラ等の水没した際に回収を要する機器類に取り付けて運用する。機器類が水没した際に、装置本体に水が浸入して、スリングラインを取り付けたフローターを押し出す構造となっているため、水面上に水没位置を標示するとともに、スリングラインを手繰り寄せることで、水没した機器類の発見と回収を容易にすることができる。【選択図】図１
2020090218.tif 000002
【特許請求の範囲】
【請求項１】
海や湖等の水域にドローンやカメラ等の高額機器類が水没してしまった場合、水没した場所が分からなくなるとともに回収することが困難であった。そのため、水没したドローンやカメラ等の機器類の位置を水面上に標示し、発見と回収を容易にすること。
【発明の詳細な説明】
【技術分野】
【０００１】
本発明は、水没したドローンやカメラ等の機器類の位置を水面上に標示し、回収するための装置に関するものである。
【背景技術】
【０００２】
ドローンやカメラ等の高額機器類が、海や湖等の水域に水没した場合、水没した場所が不明確になるとともに、回収することが困難であった。
【発明の概要】
【発明が解決しようとする課題】
【０００３】
海や湖等の水域にドローンやカメラ等の高額機器類が水没してしまった場合、水没した場所が分からなくなるとともに回収することが困難であった。そのため、水没した場所が分かるように標示する方法、および、回収することを可能とする方法を示すことで前述の問題を解決しようとするものである。
【課題を解決するための手段】
【０００４】
一端が閉じられた筒の中に、水溶性の紙で包まれた圧縮状態のバネを入れ、筒の入り口側には、フローターをセットする。フローターは水面上で目立つ色であるとともに、電源と発光装置が取り付けられ、スリングラインが取り付けられている。フローターがセットされた筒をドローンやカメラ等の機器類に取り付け、フローターに繋がったスリングラインは、ドローンやカメラ等の機器類に繋ぐ。機器類に取り付けた筒には水が浸入するように開口部があり、ドローンやカメラ等の機器類が海や湖等の水域に水没した際、水が浸入して、バネを包んでいる水溶性の紙を溶かし、圧縮状態のバネが伸長してフローターを筒の外に押し出す。フローターは押し出されると同時に、発光装置に電源が供給されて点灯し、水面に浮上する。発光装置が点灯することで、夜間においてもフローターを発見しやすくなる。水没したドローンやカメラ等の機器類は、海や湖等の底に着底することで、浮遊による紛失を防ぐ。フローターとドローンやカメラ等の機器類は、スリングラインで繋がれているため、水面上のフローターに取り付けられたスリングラインを手繰り寄せることで、ドローンやカメラ等の高額機器類を回収することが可能となる。
【発明の効果】
【０００５】
水面に浮上した目立つ色をしたフローターとドローンやカメラ等の機器類がスリングラインで繋がれているため、水没した機器類の位置が分かるとともに、夜間はフローターが発光することで場所が分かりやすく、スリングラインを手繰り寄せることで機器類を回収することが可能となる。
【図面の簡単な説明】
【０００６】
【図１】図１は本考案の側面図である。
【図２】図２は本考案の作動例を示す図である。
【発明を実施するための形態】
【０００７】
装置本体をドローンやカメラ等の水没した際に回収が必要な機器類に取り付けて運用する。機器類が水没した際、装置本体に水が浸入し、圧縮されたバネを包んでいる水溶性の紙が溶けて、フローターを押し出す構造となっているため、水没または水濡れした場合にのみ作動する装置となる。フローターには水没した機器類の回収を可能とする強度を有したスリングラインが取り付けてあり、水没した機器類を回収することが可能となる。
【実施例１】
【０００８】
図１は、本発明装置の側面図である。一端が閉じられた筒１の中に、水溶性の紙２で包まれた圧縮状態のバネ３を入れ、筒の入り口側にフローター４をセットする。フローターは水面上で目立つ色であるとともに、電源と発光装置５が取り付けられ、スリングライン６が取り付けられている。筒１には水没した際に水が浸入するように開口部８がある。
【０００９】
図２は、作動例を示す図である。フローターがセットされた筒１をドローンやカメラ等の機器類７に取り付け、フローターに繋がったスリングライン６は、ドローンやカメラ等の機器類７と繋がれる。ドローンやカメラ等の機器類が海や湖等の水域に水没した際に、筒内に水が浸入する。浸入した水がバネを包んでいる水溶性の紙を溶かし、圧縮状態のバネは伸長し、フローター４を筒の外に押し出す。フローター４は押し出されると同時に、発光装置５に電源が供給されて点灯し、水面に浮上する。夜間においても発光装置が点灯しているため、フローター４を発見しやすくなる。水没したドローンやカメラ等の機器類は、海や湖等の底に着底して、浮遊による紛失を防ぐ。浮上したフローター４とドローンやカメラ等の機器類７の間は、スリングライン６で繋がれているため、水面上のフローターに取り付けられているスリングライン６を手繰り寄せることで、ドローンやカメラ等の高額機器類を回収することが可能となる。
【産業上の利用可能性】
【００１０】
水面に浮上した目立つ色をしたフローターとドローンやカメラ等の機器類がスリングラインで繋がれているため、水没したドローンやカメラ等の高額機器類の位置が分かるとともに、夜間はフローターが発光することで場所が分かりやすく、スリングラインを手繰り寄せることでドローンやカメラ等の高額機器類を回収することが可能となる。このことにより、水没した機器類の水中投棄を減らすことが出来る。
【符号の説明】
【００１１】
１    一端が閉じられた筒
２    水溶性の紙
３    圧縮状態のバネ
４    フローター
５    発光装置
６    スリングライン
７    ドローンやカメラ等の機器類
８    筒に開いた開口部
【図１】
2020090218.tif 000003
【図２】
2020090218.tif 000004
(57)【要約】【課題】流し台三角コーナーの中の水切り袋を取り出す時、ゴミの中になお残留していた水が袋の外に漏れ出し、水滴が床などに落ちると非衛生的であった。  本発明は、水切りをよくするとともに水滴が漏れ落ちなくするための水切り袋つき流し台三角コーナーを提供する。【解決手段】流し台三角コーナーの下半分に水抜き孔を設け、底面の中央部に半球状凸部を設け、この凸部と接する水切り袋の底部と水切り袋上半分とには、水切り孔を設けてゴミの水切りをし、水切り袋の上端の指通し孔を摘んで取り出すことで水滴をこぼさない特徴を有する水切り袋つきの流し台三角コーナー。【選択図】図１
2020090390.tif 000002
【特許請求の範囲】
【請求項１】
流し台三角コーナーの下半分に水抜き孔を設け、底面の中央部に半球状凸部を設け、この凸部と接する水切り袋の底部と水切り袋上半分とには、水切り孔を設けてゴミの水切りをし、水切り袋の上端の指通し孔を摘んで取り出すことで水滴をこぼさない特徴を有する水切り袋つきの流し台三角コーナー。
【発明の詳細な説明】
【技術分野】
【０００１】    本発明は、流し台三角コーナーに関するものである。
【背景技術】
【０００２】  流し台三角コーナーまたは水切り袋からゴミをとり出してゴミ収集容器へ移す時に、水滴が漏れ落ちて床などを汚すことが多かった。本発明に関連する公知技術としては次の特許文献１では、流し台三角コーナーの底面を一方向に傾斜させ、その底面の一部とその上の面に水切り孔を設け、底面の大部分は水切り孔を設けない三角コーナーが知られている。
【先行技術文献】
【特許文献】
【０００３】
【特許文献１】特開  ２０１０−１５５７２２号公報
【発明の概要】
【発明が解決しようとする課題】
【０００４】  流し台三角コーナーの水切り袋を持ち上げ、ゴミ処理袋に移動する時にゴミの中に残っていた水が滴となって床などにこぼれ落ちるのを抑えることへの課題があった。
本発明は、以上の問題を解決するためになされたものである。
【課題を解決するための手段】
【０００５】  流し台三角コーナーの下半分に水抜き孔を設け、底面の中央部に半球状凸部を設け、この凸部と接する水切り袋の底部と水切り袋上半分とには、水切り孔を設けてゴミの水切りをし、水切り袋の上端の指通し孔を摘んで取り出すことで水滴をこぼさない特徴を有する水切り袋つきの流し台三角コーナー。
【発明の効果】
【０００６】  本発明は、従来、流し台三角コーナーまたは水切り袋にたまったゴミを同三角コーナーから取り出す時に、汚水がこぼれ落ちて床などを汚していたのを防ぐことができるので、衛生上きわめて有効な流し台三角コーナーである。
【図面の簡単な説明】
【０００７】
【図１】流し台三角コーナーに水切り袋を装着した本発明の断面図
【図２】本発明の水切り袋の正面図
【図３】本発明の平面図
【図４】本発明の三角コーナーから取り出した水切り袋の斜視図
【発明を実施するための形態】
【０００８】  本発明の実施の形態について図面を参照して説明する。
図１は、流し台三角コーナーに水切り袋を着装した本発明の断面図で、
（イ）三角コーナー（１）は、概ね下半分に水切り孔（ａ）を設ける。
（ロ）三角コーナー（１）の底面の中央に半球状の凸部（ｂ）を設けて、底面水平部分がない傾斜面を多くして排水をよくする。
（ハ）三角コーナー（１）の内側に水切り袋（２）を装着する。
（ニ）三角コーナー（１）の内側に装着する水切り袋（２）の底部（ｅ）が三角コーナー（１）の底面の中央の凸部（ｂ）と接する部分（ｅ）には、水切り孔を設けない。水切り袋を持ち上げた時にゴミの中に残っていた水を溜め、外にこぼさないためである。
（ホ）水切り袋（２）の上部の両端には、手指が通る大きさの指通し孔（ｃ）を左右対称に１個ずつ設ける。水切り袋を持ち上げた時に、高さが同じ水平に保て、袋の底の部分（ｅ）に溜った水を傾かずにこぼさないためである。
【００１２】  図２は、水切り袋（２）の正面図で、
水切り袋（２）の上半分と底面の楕円形部分（ｅ）を除いて水抜き孔（ｄ）を設ける。また、水切り袋（２）の上部の両端には、指通し孔（ｃ）を１個ずつ設ける。
【００１３】  図３は、本発明の平面図で、水切り袋（２）の孔がない水抜き部分（ｅ）を三角コーナー（１）の底面の中央に設けた凸部（ｂ）とを重ねて着装した状態のもので、水切り袋（２）に入れたゴミの中の水を、凸部（ｅ）の周辺に流下させ水抜き孔（ｄ）から外に出す。
【００１４】  図４は、三角コーナー（１）に装着した水切り袋（２）に、ゴミを入れ同袋を持ち上げた時の斜視図で、水切り袋（２）の水抜き孔がない底の部分（ｅ）がゴミの重みで下方へたるみ、ゴミの中に残っていた水が集まり溜まった状態（ｇ）を示したものである。
【００１５】  本発明を使用するときは、水切り袋（２）の底の中央に設けた水抜き孔がない部分（ｅ）を図１のように三角コーナー（１）の中央の半球状底面（ｂ）の上に重ねるようにして中に台所ゴミを入れ、水切り袋（２）に溜まったゴミ（ｆ）を収集袋に移す時には、水切り袋（２）の上辺に設けた２つの指通し孔（ｃ）へ同時に手指を通して持ち上げてゴミ収集袋等に移す。この時、ゴミに残っていた水は低くなった水切り袋（２）の底の中央部分（ｅ）に集まって溜まり、滴が流れ出て落ちて床などを汚すことが防げるのが本発明である。
【符号の説明】
【００１６】  １三角コーナー
ａ三角コーナー水切り孔
ｂ三角コーナー半球状底面
２水切り袋
ｃ水切り袋指通し孔
ｄ水切り袋水切り孔
ｅ水切り袋に水切り孔を設けない部分
ｆゴミ
ｇ汚水溜め
【図１】
2020090390.tif 000003
【図２】
2020090390.tif 000004
【図３】
2020090390.tif 000005
【図４】
2020090390.tif 000006